(57)【要約】【課題】リモコンのキー毎にメニュー項目を割り当てなくても、簡単にメニュー項目を選択できるメニュー項目選択方法を提供する。【解決手段】メニューを格納した記憶部５と、記憶部５に格納したメニューをテレビ受像機の画面の各辺に沿って表示させる指示信号を出力すると共に、メニューに応じた画像調節或いは音声調節を行わせる実行信号を出力する十字状に配列された４つの選択キーを有する送信部３と、指示信号及び実行信号を受信する受信部４と、受信部４で受信された指示信号に応じて、テレビ受像機の画面の各辺に沿って表示されたメニュー中からいずれか1つのメニュー項目を選択するメニュー項目抽出部６と、を備える。【選択図】      図１
2007228365.tif 000002
【特許請求の範囲】
【請求項１】
テレビ受像機で受像する番組に関する画像調節及び音声調節を行うメニューを前記テレビ受像機の画面の各辺に沿って表示させる画像メニュー表示装置において、
前記メニューを格納した記憶部と、
前記記憶部に格納した前記メニューを前記テレビ受像機の画面の各辺に沿って表示させる指示信号を出力すると共に、前記メニューに応じた前記画像調節或いは前記音声調節を行わせる実行信号を出力する十字状に配列された４つの選択キーを有する送信部と、
前記指示信号及び前記実行信号を受信する受信部と、
前記受信部で受信された指示信号に応じて、前記テレビ受像機の画面の各辺に沿って表示された前記メニュー中からいずれか1つのメニュー項目を選択するメニュー項目抽出部と、
を備えたことを特徴とする画像メニュー表示装置。
【請求項２】
前記送信部は前記メニューに下位階層メニューがある場合に、前記下位階層メニューの一部が前記メニューに重複するように指示する重畳信号を出力する重畳部を備えたことを特徴とする請求項１記載の画像メニュー表示装置。
【発明の詳細な説明】
【技術分野】
【０００１】
本発明は、画像メニュー表示装置に表示される複数のメニュー項目の選択を行う、画像メニュー表示装置に関する。
【背景技術】
【０００２】
従来、メニュー項目選択方法としては、特許文献１に記載されているようにキー番号を持つリモコンにより画像メニュー表示装置に表示されたメニュー項目を選択していた。
図９に従来の画像メニュー表示装置を説明するための図を示す。
【０００３】
図９（Ａ）は、画像メニュー表示装置に表示されたメニュー項目を表示し、図９（Ｂ）は、キー番号を持つリモコンを示し、図９（Ｃ）は、リモコンのキー番号ごとに割り当てられたメニュー項目を示す。
そして、図９（Ａ）に示す画像メニュー表示装置に表示されたメニュー項目を見ながら、図９（Ｃ）のリモコンのキー番号ごとに割り当てられたメニュー項目から選択するメニュー項目に相当するキー番号を選択して図９（Ｂ）に示すリモコンのキー番号を押すことにより、メニュー項目を選択していた。
【０００４】
このようにして、リモコンに複数のメニュー項目が表示されたキーを特別に設定しなくても、キー番号のみで複数のメニュー項目を選択することが出来る。
【特許文献１】特開平９−３２５８７６号公報
【発明の開示】
【発明が解決しようとする課題】
【０００５】
しかしながら、画像メニュー表示装置に表示される複数のメニュー項目と、リモコンのキー番号に割り当てられたメニュー項目とを使用する際に判別しながらメニュー項目を選択することは、操作が煩雑であり、メニュー項目選択時にリモコンのキー番号を押し間違える誤操作を生じやすいと言う問題点があった。
【０００６】
そこで、本発明は、上記のような問題点を解消するためになされたもので、リモコンのキー番号毎にメニュー項目を割り当てなくても、簡単にメニュー項目を選択できる画像メニュー表示装置を提供することを目的とする。
【課題を解決するための手段】
【０００７】
本願発明における第１の発明は、テレビ受像機で受像する番組に関する画像調節及び音声調節を行うメニューを前記テレビ受像機の画面の各辺に沿って表示させる画像メニュー表示装置において、前記メニューを格納した記憶部と、前記記憶部に格納した前記メニューを前記テレビ受像機の画面の各辺に沿って表示させる指示信号を出力すると共に、前記メニューに応じた前記画像調節或いは前記音声調節を行わせる実行信号を出力する十字状に配列された４つの選択キーを有する送信部と、前記指示信号及び前記実行信号を受信する受信部と、前記受信部で受信された指示信号に応じて、前記テレビ受像機の画面の各辺に沿って表示された前記メニュー中からいずれか1つのメニュー項目を選択するメニュー項目抽出部と、を備えたことを特徴とする画像メニュー表示装置を提供する。
第２の発明は、前記送信部は前記メニューに下位階層メニューがある場合に、前記下位階層メニューの一部が前記メニューに重複するように指示する重畳信号を出力する重畳部を備えたことを特徴とする請求項１記載の画像メニュー表示装置を提供する。
【発明の効果】
【０００８】
本発明によれば、テレビ受像機で受像する番組に関する画像調節及び音声調節を行うメニューをテレビ受像機の画面の各辺に沿って表示させる画像メニュー表示装置において、メニューを格納した記憶部と、記憶部に格納したメニューをテレビ受像機の画面の各辺に沿って表示させる指示信号を出力すると共に、メニューに応じた画像調節或いは音声調節を行わせる実行信号を出力する十字状に配列された４つの選択キーを有する送信部と、指示信号及び実行信号を受信する受信部と、受信部で受信された指示信号に応じて、テレビ受像機の画面の各辺に沿って表示されたメニュー中からいずれか1つのメニュー項目を選択するメニュー項目抽出部と、を備えることにより、簡単な操作でメニュー項目を選択できる。
【発明を実施するための最良の形態】
【０００９】
以下に本発明の実施形態に係る画像メニュー表示装置について図１〜図６を用いて説明する。
図１は、本発明の実施形態における画像メニュー表示装置の構成を示す図である。
図２は、本発明の実施形態におけるメニュー項目選択時のフローチャートを示す図である。
図３は、本発明の実施形態におけるメニュー項目選択前の表示画像を示す図である。
図４〜図６は、本発明の実施形態におけるメニュー項目選択時の表示画像を示す図である。
図７、図８は、本発明の他の実施形態におけるメニュー項目選択時の表示画像を示す図である。
【００１０】
図１に示すように、本発明の実施形態における画像メニュー表示装置は、映像情報送信部１と、映像表示部２と、から構成される。
映像表示部２は、送信部３と、受信部４と、記憶部５と、メニュー項目抽出部６と、表示領域設定部７と、編集部８と、転送部９と、表示部１０と、重畳部１１と、からなる。
【００１１】
映像情報送信部１は、テレビ受像機、パーソナルコンピュータ、ＶＴＲ、ＤＶＤプレーヤ等からなり映像情報を生成する。
映像表示部２は、映像情報送信部１で生成された映像情報をメニュー項目に従って画像処理して表示部１０上に処理された映像情報を表示する。
【００１２】
送信部３は、例えば上下左右４方向をそれぞれ示す４つの指示ボタンを有するリモコンからなり、所定の１つの指示ボタンを押すことにより押された指示ボタンの示す１方向の指示信号を実行信号として発振する。
受信部４は、送信部３から発振された実行信号を受信して１方向の指示信号を検出する。
【００１３】
記憶部５は、４方向のメニュー項目をそれぞれの方向毎に格納する。各方向のメニュー項目は必要に応じて複数の階層別に構成される。
メニュー項目抽出部６は、受信部４で検出された１方向の指示信号により記憶部５に格納されている１方向のメニュー項目を抽出する。
【００１４】
メニュー表示部７は、メニュー項目抽出部６で抽出された１方向のメニュー項目を、文字表示する映像情報に生成する。
編集部８は、映像情報送信部１で生成された映像情報をメニュー項目抽出部６で抽出されたメニュー項目により編集する。
転送部９は、メニュー表示部７で生成されたメニュー項目を文字表示する映像情報と、映像処理部８で編集された映像情報とから表示信号を生成する。
表示部１０は、転送部９で生成された表示信号によりメニュー項目と編集された映像情報とを表示する。
重畳部１１は、メニュー項目に下位階層メニュー項目がある場合に、メニュー項目抽出部６で複数の表示部のうちの対応した表示部に表示された下位階層メニュー項目を表示領域設定部７で設定された画面表示領域にメニュー項目に重ねるように指示する重畳信号を転送部９に出力する
【００１５】
次に、図２に示すフローチャートに沿って、本発明の実施形態に係る画像メニュー表示装置の動作について説明する。
１）開始    図３に示すように表示部１０上には映像情報送信部１で生成された映像情報のみ              が表示され、メニュー項目は表示されない。
２）指示方向入力（Ｓ１）
図４に示すように、例えば、送信部３の下方向を示すボタンを押す。
３）メニュー表示（Ｓ２）
図４に示すように、表示部１０上の下方向にメニュー項目が表示され、現在選択              されているメニューが識別されて表示される。
４）メニュー表示と指示方向入力が一致しているかを確認（Ｓ３）
５）一致していなければ指示方向入力を反対にして１）の開始状態まで戻す。
（Ｓ４），（Ｓ５），（Ｓ６）
６）一致していればメニュー項目を選択（Ｓ７）
図４に示すように、例えば、送信部３の左方向、或いは右方向を示すボタンを押              して選択するメニューを指定する。
７）メニュー項目を決定（Ｓ８）
図４に示す送信部３の下方向を示すボタンを押す。
８）次の階層があるか（Ｓ９）
次の階層が無ければこれでメニュー項目は決定され、このメニュー項目に沿って              編集部８において編集される。
次の階層があれば、次の階層のメニューが表示される。
９）次の階層のメニューを表示（Ｓ１０）
図５に示すように表示部１０上に前の階層に重畳して次の階層のメニューが表示              される。
１０）メニュー項目を選択（Ｓ１１）
図５に示すように、例えば、送信部３の左方向、或いは右方向を示すボタンを押              して選択するメニューを指定する。
１１）メニュー項目を決定（Ｓ１２）
図５に示す送信部３の下方向を示すボタンを押す。
次の階層が無ければこれでメニュー項目は決定され、このメニュー項目に沿って編              集部８において編集される。
次の階層があれば、次の階層のメニューがさらに表示される。
１２）選択終了
メニュー項目が決定されると、表示部１０上には、編集部８において編集された              映像情報のみが表示され、メニュー項目は表示されない。
【００１６】
このようにして、メニュー項目の選択を行うことが出来る。
今までの説明は、送信部３の下方向を示すボタンを中心に行ってきたが、いずれの方向についても同様の操作を行うことにより、所定のメニュー項目を選択できる。
例えば、図６に示すように送信部３の右方向を示すボタンを押すことにより、右方向に設定されたメニューが表示部１０上に表示される。そしてメニュー項目の選択は上方向と下方向のボタンによって行われ、決定は右ボタンで行われる。
【００１７】
以上述べてきたように、本発明の実施形態における画像メニュー表示装置を用いれば、４方向の方向指示を行うだけで、簡単にメニュー項目の選択を行うことが出来る。
【００１８】
次に本発明の他の実施形態について図７、図８を用いて説明する。
図７に示すように、送信部３の上方向を示すボタン操作を行う場合は、表示されるメニュー項目の下側から映像を表示するよう編集部８により映像表示位置を設定する。これは、図７に示すように地震や台風等の緊急情報はテロップで映像の上部位置に表示されるので、予め上方向を示すボタン操作を行う場合においてのみメニュー項目の下側から映像を表示する。
【００１９】
さらに、図８に示すように、地震や台風等の緊急情報はテロップで映像の下部位置或いは左右位置に表示される場合もあるので、いずれか２つのボタン操作を同時に行うことにより（図８では上下ボタンを同時に操作）、メニュー項目と重ならないよう、映像を編集部８により縮小する。
【００２０】
地震や台風等の緊急情報におけるテロップ検出方法としては、
１）表示される文字のエッジによるテロップの表示領域検出
２）緊急放送における速報音検出
３）ＢＳデジタルにおける速報テロップや警告チャイムのデータ受信
等が考えられ、
このような１）〜３）の緊急情報時のテロップ検出方法を用いて、編集部８により、表示する映像に緊急情報のテロップが有るか無いかの検出を行い、緊急情報のテロップが有る場合は、メニュー項目が表示される位置を避けるように映像の表示位置の移動或いは映像の縮小を、ボタン操作を行わなくても図７、図８に示すように設定する。
【００２１】
以上述べたように、本発明の他の実施形態によれば、メニュー項目を表示しても、緊急情報のテロップを見逃すことがないように、メニュー項目と重畳しない緊急情報のテロップの表示を十分行うことが出来る。
【図面の簡単な説明】
【００２２】
【図１】本発明の実施形態におけるメニュー項目選択方法を用いる画像メニュー表示装置の構成を示す図である。
【図２】本発明の実施形態におけるメニュー項目選択のフローチャートを示す図である。
【図３】本発明の実施形態におけるメニュー項目選択前の表示画像を示す図である。
【図４】本発明の実施形態におけるメニュー項目選択時の表示画像を示す図である。
【図５】本発明の実施形態におけるメニュー項目選択時の表示画像を示す図である。
【図６】本発明の実施形態におけるメニュー項目選択時の表示画像を示す図である。
【図７】本発明の他の実施形態におけるメニュー項目選択時の表示画像を示す図である。
【図８】本発明の他の実施形態におけるメニュー項目選択時の表示画像を示す図である。
【図９】従来の画像メニュー表示装置を説明するための図である。
【符号の説明】
【００２３】
１・・・映像情報送信部、２・・・映像表示部、３・・・送信部、４・・・受信部、５・・・記憶部、６・・・メニュー項目抽出部、７・・・表示領域設定部、８・・・編集部、９・・・転送部、１０・・・表示部、１１・・・重畳部
【図１】
2007228365.tif 000003
【図２】
2007228365.tif 000004
【図３】
2007228365.tif 000005
【図４】
2007228365.tif 000006
【図５】
2007228365.tif 000007
【図６】
2007228365.tif 000008
【図７】
2007228365.tif 000009
【図８】
2007228365.tif 000010
【図９】
2007228365.tif 000011